(57)【特許請求の範囲】
【請求項１】
第１の方向の傾きを検出する気泡管及びこれと直交する第２の方向の傾きを検出する気泡管を配設した器体本体と、該器体本体を断面が円形をした部材に装着するための固定部材とからなり、該固定部材が、器体本体に対する第１の嵌着部と、断面が円形をした部材に対する第２の嵌着部とを備え、器体本体に着脱可能にされてなり、かつ、固定部材の第２の嵌着部の開閉度が、接続部を介して、第１の嵌着部の開閉度に逆作用するようにしてなることを特徴とする水準器。
【請求項２】
異なる大きさの第２の嵌着部を備えた２種以上の固定部材を、器体本体の複数箇所に形成した取付部に、選択的に取り付けるようにしてなることを特徴とする請求項１記載の水準器。
【発明の詳細な説明】
【技術分野】
【０００１】
本発明は、手摺りや手摺りの支持部材等の棒状やパイプ状の断面が円形をした部材に装着して使用する水準器に関するものである。
【背景技術】
【０００２】
従来、建築工事等において、構築部材等の検出対象の水平度や鉛直度を検出する際に使用される水準器として、器体本体に、密閉された小容器にわずかに気泡を存して液体を封入した構造の第１の方向の傾きを検出する気泡管と、これと直交する第２の方向の傾きを検出する気泡管とを配設したものが汎用されている（例えば、特許文献１参照。）。
【０００３】
ところで、上記従来の水準器は、器体本体に構築部材に対する装着手段を備えていないため、構築部材上に水準器を載置して使用するか、水準器を手に持って構築部材等の検出対象に沿わせて使用する必要があり、検出精度や操作性の点で問題があった。
【０００４】
この問題点を解消するものとして、器体本体をクリップ構造とすることにより、棒状やパイプ状の断面が円形をした部材に装着して使用することができるようにした水準器が提案されている（特許文献２参照。）。
この水準器は、水準器を載置して使用できない断面が円形をした部材に装着して使用することができる利点を有する反面、気泡管の配設箇所に制約があるため、気泡管の視認を行いにくく、また、水準器を断面が円形をした部材に着脱する際にはクリップをその都度挟持操作する必要があり、特に、太さが異なる部材を検出対象とする場合には、検出精度や操作性が悪くなるという問題があった。
【先行技術文献】
【特許文献】
【０００５】
【特許文献１】特開平８−２０１０５７号公報
【特許文献２】特開２００６−６４４９２号公報
【発明の概要】
【発明が解決しようとする課題】
【０００６】
本発明は、上記従来の水準器の有する問題点に鑑み、水準器を載置して使用できない断面が円形をした部材に装着して使用することができるとともに、気泡管の配設箇所に制約がなく、また、検出精度や操作性のよい水準器を提供することを目的とする。
【課題を解決するための手段】
【０００７】
上記目的を達成するため、本発明の水準器は、第１の方向の傾きを検出する気泡管及びこれと直交する第２の方向の傾きを検出する気泡管を配設した器体本体と、該器体本体を断面が円形をした部材に装着するための固定部材とからなり、該固定部材が、器体本体に対する第１の嵌着部と、断面が円形をした部材に対する第２の嵌着部とを備え、器体本体に着脱可能にされてなり、かつ、固定部材の第２の嵌着部の開閉度が、接続部を介して、第１の嵌着部の開閉度に逆作用するようにしてなることを特徴とする。
【０００８】
この場合において、異なる大きさの第２の嵌着部を備えた２種以上の固定部材を、器体本体の複数箇所に形成した取付部に、選択的に取り付けるようにすることができる。
【発明の効果】
【０００９】
本発明の水準器によれば、第１の方向の傾きを検出する気泡管及びこれと直交する第２の方向の傾きを検出する気泡管を配設した器体本体を、断面が円形をした部材に装着するための固定部材が、器体本体に対する第１の嵌着部と、断面が円形をした部材に対する第２の嵌着部とを備え、器体本体に着脱可能にされてなるようにすることにより、水準器を載置して使用できない断面が円形をした部材に装着して使用することができるとともに、気泡管を配設する器体本体が固定部材と独立しているため、気泡管の配設箇所に制約がなく、また、押し操作するだけで、固定部材の第２の嵌着部を介して、水準器の器体本体を断面が円形をした部材に正確かつ簡易に装着し、引き操作するだけで、離脱させることができ、検出精度や操作性のよい水準器を提供することができる。
【００１０】
そして、固定部材の第２の嵌着部の開閉度が、接続部を介して、第１の嵌着部の開閉度に逆作用するようにすることにより、第２の嵌着部を手で持って閉操作することによって、第１の嵌着部を開かせ、器体本体に対する嵌着を容易に行うことができるようにするとともに、第２の嵌着部を断面が円形をした部材に装着することによって、第１の嵌着部を閉じさせ、器体本体に対する嵌着状態を確固にして、検出精度を向上することができる。
【００１１】
また、異なる大きさの第２の嵌着部を備えた２種以上の固定部材を、器体本体の複数箇所に形成した取付部に、選択的に取り付けるようにすることにより、１つの水準器で、太さが異なる部材を検出対象とすることができる。
【図面の簡単な説明】
【００１２】
【図１】本発明の水準器の一実施例を示し、（ａ）は平面図、（ｂ）は正面図、（ｃ）は左側面図、（ｄ）は右側面から見た断面図、（ｅ）は斜視図、（ｆ）は固定部材の斜視図である。
【図２】同水準器を示し、（ａ）は断面が円形をした部材の水平度を検出している状態を示す説明図、（ｂ）は同鉛直度を検出している状態を示す説明図、（ｃ）は収納状態を示す説明図である。
【発明を実施するための形態】
【００１３】
以下、本発明の水準器の実施の形態を、図面に基づいて説明する。
【００１４】
図１〜図２に、本発明の水準器の一実施例を示す。
この水準器は、第１の方向の傾きを検出する気泡管２及びこれと直交する第２の方向の傾きを検出する気泡管３を配設した器体本体１と、この器体本体１を、手摺りＷ１や手摺りの支持部材Ｗ２等の棒状やパイプ状の断面が円形をした部材Ｗ１、Ｗ２に装着するための固定部材４Ａ、４Ｂとからなり、固定部材４Ａ、４Ｂが、器体本体１に対する第１の嵌着部４１と、断面が円形をした部材Ｗ１、Ｗ２に対する第２の嵌着部４２とを備え、器体本体１に着脱可能にされてなるようにする。
【００１５】
器体本体１は、合成樹脂製のもので、第１の方向、具体的には、例えば、手摺りＷ１の水平方向の傾きを検出する気泡管２と、これと直交する第２の方向、具体的には、例えば、手摺りの支持部材Ｗ２の鉛直方向の傾きを検出する気泡管３とを嵌め込んで配設するようにした本体部１１と、この本体部１１に嵌着させることによって水平方向の傾きを検出する気泡管２を背面から固定する固定片１２とからなる。
さらに、器体本体１の本体部１１には、固定部材４Ａ、４Ｂの第１の嵌着部４１の固定部として、この第１の嵌着部４１に形成された矩形状の凸部４４が入り込む矩形状の凹部からなる取付部１３、１４、１５を複数箇所（本実施例においては、３箇所。ここで、取付部１３は、検出位置用のもので、取付部１４、１５は、収納位置用のものである。）に形成するようにしている。
また、器体本体１の本体部１１には、紐等を取り付けるための小孔１６を形成するようにしている。
【００１６】
固定部材４Ａ、４Ｂは、合成樹脂製のもので、手摺りＷ１や手摺りの支持部材Ｗ２等の棒状やパイプ状の断面が円形をした部材Ｗ１、Ｗ２に装着するためのもので、器体本体１に着脱可能にするために、器体本体１に対する第１の嵌着部４１と、断面が円形をした部材Ｗ１、Ｗ２に対する第２の嵌着部４２とを備えるようにしている。
ここで、器体本体１に対する第１の嵌着部４１は、接続部４３を介して、略コ字状をし、内面の対向する位置に矩形状の凸部４４が形成され、器体本体１に着脱可能とされている。
また、断面が円形をした部材Ｗ１、Ｗ２に対する第２の嵌着部４２は、接続部４３を介して、先端がやや開いて湾曲した略Ｕ字状をし、接続部４３の内面は、断面が円形をした部材Ｗ１、Ｗ２に沿うように凹ませて形成されている。
【００１７】
そして、固定部材４Ａ、４Ｂは、第２の嵌着部４２の開閉度が、接続部４３を介して、第１の嵌着部４１の開閉度に逆作用、すなわち、第２の嵌着部４２の開閉度が小さくなると、第１の嵌着部４１の開閉度が大きくなり、逆に、第２の嵌着部４２の開閉度が大きくなると、第１の嵌着部４１の開閉度が小さくなるようにしている。
これにより、第２の嵌着部４２を手で持って閉操作することによって、第１の嵌着部４１を開かせ、器体本体１の取付部１３、１４、１５に対する嵌着を容易に行うことができるようにするとともに、第２の嵌着部４２を断面が円形をした部材Ｗ１、Ｗ２に装着することによって、第１の嵌着部４１を閉じさせ、器体本体１に対する嵌着状態を確固にして、検出精度を向上することができるようにしている。
【００１８】
また、固定部材４Ａ、４Ｂは、異なる大きさの第２の嵌着部４２を備えた２種以上の固定部材４Ａ、４Ｂを、器体本体１の複数箇所に形成した取付部１３、１４、１５に、選択的に取り付けるようにしている。
限定されるものではないが、本実施例においては、固定部材４Ａは、φ３２〜３５の直径の断面が円形をした部材Ｗ１、Ｗ２に、固定部材４Ｂは、φ４２〜４５の直径の断面が円形をした部材Ｗ１、Ｗ２に、それぞれ適合した第２の嵌着部４２の寸法（外側の幅方向の寸法が、３５ｍｍと４６ｍｍ。）にそれぞれ形成するようにしている。
そして、固定部材４Ａ、４Ｂには、上記適合した寸法の表示を、表示片４５にするとともに、表示片４５には、紐等を取り付けるための小孔４６を形成するようにしている。
これにより、１つの水準器を用いて、太さが異なる部材Ｗ１、Ｗ２を検出対象とすることができる。
【００１９】
次に、この水準器の使用方法について説明する。
この水準器は、断面が円形をした部材Ｗ１、Ｗ２の太さに適合した固定部材４Ａ、４Ｂを選択し、一方の使用する固定部材４Ａ、４Ｂを、第１の嵌着部４１を介して、器体本体１の取付部１３に取り付け、図２（ａ）に示すように、断面が円形をした部材Ｗ１に第２の嵌着部４２を介して装着して、当該部材Ｗ１の水平度を検出したり、図２（ｂ）に示すように、断面が円形をした部材Ｗ２に第２の嵌着部４２を介して装着して、当該部材Ｗ２の鉛直度を検出するようにする。
このとき、他方の使用しない固定部材４Ａ、４Ｂは、第１の嵌着部４１を介して、器体本体１の取付部１５（又は取付部１４）に取り付けておくことができる。
【００２０】
この水準器は、水準器を載置して使用できない断面が円形をした部材Ｗ１、Ｗ２に装着して使用することができるとともに、気泡管２、３を配設する器体本体１が固定部材４Ａ、４Ｂと独立しているため、気泡管２、３の配設箇所に制約がなく、また、押し操作するだけで、固定部材４Ａ、４Ｂの先端がやや開いた略Ｕ字状をした第２の嵌着部４２を介して、水準器の器体本体１を断面が円形をした部材Ｗ１、Ｗ２に正確かつ簡易に装着し、引き操作するだけで、離脱させることができ、検出精度や操作性のよい水準器を提供することができる。
【００２１】
また、水準器を使用しないときは、図２（ｃ）に示すように、固定部材４Ａ、４Ｂを、第１の嵌着部４１を介して、器体本体１の取付部１４、１５にそれぞれ取り付けることにより、コンパクトに収納することができる。
【００２２】
以上、本発明の水準器について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の水準器は、水準器を載置して使用できない断面が円形をした部材に装着して使用することができるとともに、気泡管の配設箇所に制約がなく、また、検出精度や操作性がよいという特性を有していることから、手摺りや手摺りの支持部材等の棒状やパイプ状の断面が円形をした部材の水平度や鉛直度を検出する際に使用される水準器の用途に好適に用いることができる。
【符号の説明】
【００２４】
１  器体本体
１１  本体部
１２  固定片
１３  取付部（検出位置用）
１４  取付部（収納位置用）
１５  取付部（収納位置用）
１６  小孔
２  気泡管
３  気泡管
４Ａ、４Ｂ  固定部材
４１  第１の嵌着部
４２  第２の嵌着部
４３  接続部
４４  凸部
４５  表示片
４６  小孔
Ｗ１  手摺り（断面が円形をした部材）
Ｗ２  手摺りの支持部材（断面が円形をした部材）
【要約】      （修正有）【課題】水準器を載置して使用できない断面が円形をした部材に装着して使用することができるとともに、気泡管の配設箇所に制約がなく、また、検出精度や操作性のよい水準器を提供する。【解決手段】第１の方向の傾きを検出する気泡管２及びこれと直交する第２の方向の傾きを検出する気泡管３を配設した器体本体１と、この器体本体１を断面が円形をした部材Ｗ１、Ｗ２に装着するための固定部材４Ａとからなり、固定部材４Ａが、器体本体１に対する第１の嵌着部と、断面が円形をした部材Ｗ１、Ｗ２に対する第２の嵌着部とを備え、器体本体１に着脱可能にされてなる水準器。【選択図】図２【図１】
0005792408.tif 000002
【図２】
0005792408.tif 000003